(57)【要約】【課題】セキュリティを確保しながら情報処理装置のバックアップを簡易に行ったり必要な情報のみをバックアップすることのできる情報処理装置、電源供給装置およびデータバックアップシステムを得る。【解決手段】充電用の卓上ホルダ１００は、カードスロット１１１にメモリカード（図示せず）を装着できる。本体１０１にセットする携帯電話機（図示せず）は、このメモリカードのＩＤを登録しており、ＩＤが一致したら携帯電話機から入力されるパスワードが登録したものと一致することをもって所望のユーザデータをメモリカードにバックアップする。これにより、卓上ホルダ１００等の充電器を選ばずにバックアップが可能であり、また、各種の記憶媒体がバックアップの対象となる。【選択図】図１
2008182590.tif 000002
【特許請求の範囲】
【請求項１】
装置内部に電源を供給する二次電池と、
この二次電池を充電するために外部装置と接続する充電用端子と、
データ処理を行うデータ処理手段と、
前記外部装置に接続され、このデータ処理手段の処理の対象となるデータのうち所定のものをバックアップデータとして保存する外部メモリについてその識別情報を格納する外部メモリＩＤ格納手段と、
前記バックアップデータを用いてデータのバックアップを行う際のユーザを認証するためのパスワードを格納するパスワード格納手段と、
前記充電用端子に外部装置が接続されたときこの外部装置を経由して前記外部メモリが接続されているかを前記外部メモリＩＤ格納手段に格納された外部メモリＩＤを用いて確認する外部メモリ存否確認手段と、
この外部メモリ存否確認手段が前記外部メモリが接続されていることを確認したとき前記パスワード格納手段に格納されたパスワードが入力されることを条件として前記バックアップデータを前記外部装置に送り出すバックアップデータ送信手段
とを具備することを特徴とする情報処理装置。
【請求項２】
前記バックアップデータ送信手段は、前記充電用端子から前記二次電池に対して充電用の電力が供給可能な状態で前記バックアップデータを近距離にのみ到達する無線で送信する無線通信手段である
ことを特徴とする請求項１記載の情報処理装置。
【請求項３】
前記無線通信手段は赤外線通信手段であり、この赤外線通信手段によって送信するバックアップデータの種類を選択する送信データ選択手段を更に具備する
ことを特徴とする請求項２記載の情報処理装置。
【請求項４】
データ処理を行う情報処理装置に接続してこれに電源を供給する電源供給端子と、
前記情報処理装置のデータ処理の対象となるデータのうち所定のものをバックアップデータとして保存する外部メモリを接続する外部メモリ接続手段と、
この外部メモリ接続手段に接続した外部メモリの識別情報としての外部メモリＩＤを前記電源供給端子に接続された情報処理装置に送信する外部メモリＩＤ送信手段と、
前記電源供給端子に接続された情報処理装置から前記バックアップデータが送られてきたときこれを前記外部メモリに転送するバックアップデータ転送手段
とを具備することを特徴とする電源供給装置。
【請求項５】
前記外部メモリＩＤ送信手段および前記バックアップデータ転送手段は、前記電源供給端子から前記情報処理装置に対して電力が供給可能な状態で前記バックアップデータを近距離にのみ到達する無線で送信する無線通信手段である
ことを特徴とする請求項４記載の電源供給装置。
【請求項６】
装置内部に電源を供給する電源供給端子と、データ処理を行うデータ処理手段と、このデータ処理手段の処理の対象となるデータのうち所定のものをバックアップデータとして保存する外部メモリについてその識別情報を格納する外部メモリＩＤ格納手段と、前記バックアップデータを用いてデータのバックアップを行う際のユーザを認証するためのパスワードを格納するパスワード格納手段と、前記電源供給端子に外部装置が接続されたときこの外部装置を経由して前記外部メモリが接続されているかを前記外部メモリＩＤ格納手段に格納された外部メモリＩＤを用いて確認する外部メモリ存否確認手段と、この外部メモリ存否確認手段が前記外部メモリが接続されていることを確認したとき前記パスワード格納手段に格納されたパスワードが入力されることを条件として前記バックアップデータを前記外部装置に送り出すバックアップデータ送信手段とを備えた情報処理装置と、
この情報処理装置に接続してこれに電源を供給する電源供給端子と、前記バックアップデータを保存する外部メモリを接続する外部メモリ接続手段と、前記電源供給端子に接続された情報処理装置から前記外部メモリ接続手段に接続された外部メモリの前記外部メモリＩＤが要求されたときこれをその情報処理装置に送信する外部メモリＩＤ送信手段と、前記電源供給端子に接続された情報処理装置から前記バックアップデータが送られてきたときこれを前記外部メモリに転送するバックアップデータ転送手段とを備えた、前記外部装置としての電源供給装置
とを具備することを特徴とするデータバックアップシステム。
【請求項７】
前記情報処理装置と前記電源供給装置の間で前記外部メモリＩＤとバックアップデータを通信する、近距離にのみ到達する無線通信手段を具備することを特徴とする請求項６記載のデータバックアップシステム。
【請求項８】
前記外部メモリはＵＳＢ（Universal Serial Bus）を介して前記電源供給装置に接続されることを特徴とする請求項６記載のデータバックアップシステム。
【請求項９】
前記装置内部には二次電池が内蔵されており、前記電源供給端子は、この二次電池を充電する電源を供給する端子であることを特徴とする請求項６記載のデータバックアップシステム。
【発明の詳細な説明】
【技術分野】
【０００１】
本発明は、携帯電話機のような情報処理を行う情報処理装置、その情報処理装置に電源を供給する電源供給装置および情報処理装置の処理したデータをバックアップするデータバックアップシステムに関する。
【背景技術】
【０００２】
携帯電話機、ＰＨＳ（Personal Handy-phone System）、ＰＤＡ（Personal Digital Assistant）、ノート型のパーソナルコンピュータのような各種の情報処理装置が家庭やオフィスで広く使用されている。このうちの比較的小型の装置である携帯電話機を例にとっても分かるように、これら情報処理装置は多くの機能を備えており、一時的に使用する情報や登録して常時使用する情報のような各種の情報を取り扱っている。これらの情報の中には、たとえば住所録に代表されるように、データの追加や変更が頻繁に行われているものも含まれている。
【０００３】
情報処理装置の個々のユーザの取り扱うこれらのデータ（以下、ユーザデータと称する）は、ユーザごとに内容が相違するプライベートな情報であることが多い。したがって、情報処理装置に何らかの障害が発生してユーザデータを失うと、その復旧が不可能になるおそれがある。そこで、携帯電話事業者や情報処理装置のメーカは、ユーザデータを外部メモリにバックアップすることを推奨している。
【０００４】
前記した携帯電話機を例にとって考える。最近の携帯電話機にはカードスロットが備えられているものが多く、ここに外部メモリとしてのメモリカードを装着することができる。そこで、携帯電話機をバックアップモードに設定することで、カードスロットに装着したメモリカードにユーザデータをバックアップすることができる。そして、携帯電話機に何らかの障害が発生した場合には、このメモリカードに格納しておいたバックアップデータを用いて、携帯電話の本体側のユーザデータを復旧させることができる。
【０００５】
ところが、携帯電話機にメモリカードを装着した状態で障害が発生すると、これがそのメモリカードに波及する場合がある。このような場合に、そのメモリカードのユーザデータが破損するおそれがある。また、携帯電話機自体が火災や水害に遭遇した場合にも、バックアップ用のメモリカードを携帯電話機に常時装着しておくと、同様にユーザデータの復旧ができなくなる場合がある。もちろん、携帯電話機をメモリカードと共に紛失した場合もユーザデータを復旧することはできない。したがって、ユーザはバックアップ用のメモリカードをバックアップ時以外は携帯電話機とは別の場所に保管する必要がある。
【０００６】
しかしながら、多くのユーザは、携帯電話機に装着するメモリカードにメモリ領域を拡張するための機能とバックアップ機能を持たせて使用している。たとえば、携帯電話機で撮影した画像や動画をメモリカードに保存する一方で、バックアップデータも同一のメモリカードに格納している。このようなユーザは、メモリカードを常に携帯電話機に装着して利用することになる。したがって、携帯電話機に前記したような不測の事態が発生すると、データのバックアップを行うことができなくなることが多い。
【０００７】
そこで、携帯電話機をネットワークに接続したときに、ネットワーク側でユーザデータのバックアップ処理を行うことが第１の提案として提案されている（たとえば特許文献１参照）。この第１の提案では、携帯電話機がネットワーク上の情報サーバにアクセスすると、ユーザ認証を経て、ユーザデータを情報サーバ側に格納させるようになっている。
【０００８】
ところが、この第１の提案では、ユーザが情報サーバという特別のサーバにアクセスしてバックアップ処理を実行する必要がある。携帯電話機自体がメモリカードに対するバックアップ機能を備えていても、ユーザの多くはこのバックアップ機能を全く活用しなかったり、滅多に活用しない。これは、バックアップ操作が面倒であるのが大きな原因であるとされている。
【０００９】
第１の提案では、バックアップ時に情報サーバにアクセスする処理が必要である。したがって、携帯電話機そのものにセットされているメモリカードに対するバックアップよりも更にバックアップ処理が煩雑である。しかも、大量のデータをメモリカードにデータ転送する場合に問題となるデータの転送時間が、ネットワークとの通信を要する第１の提案の場合には更に長時間化する可能性がある。また、サーバとの通信やバックアップデータの保存にコストを要する場合には、これがユーザの負担となる。
【００１０】
そこで、携帯電話機の充電に使用する充電器に、バックアップデータを格納することが第２の提案として提案されている（たとえば特許文献２参照）。この第２の提案では、特別に用意した充電器をＡＣアダプタと携帯電話機の間に接続して、ユーザ認証を行い、これが成功した場合に携帯電話機の充電を行わせるようになっている。認証手続きやユーザデータの転送には専用のケーブルを使用してもよいが、赤外線通信を行うようにしてもよい。
【特許文献１】特開２００６−０１３８２４号公報（第００３２段落、第００３９段落、図１、図４）
【特許文献２】特開２０００−０３１８８２号公報（第００７８段落、図２、図５）
【発明の開示】
【発明が解決しようとする課題】
【００１１】
この第２の提案では、ネットワークに接続することなく、充電を行うたびに携帯電話機のユーザデータを充電器にバックアップすることができる。ところが、第２の提案では、セキュリティを確保するために、充電器側にＩＤ（Identification）情報登録部とパスワード登録部を配置している。そして、まず、携帯電話機が自装置に格納したＩＤ情報と充電器に格納しているＩＤ情報を比較してこれらの一致を確認する。次に、携帯電話機からその操作キーでユーザにパスワードを入力させて、充電器側に登録されているパスワードと比較する。そして、これらＩＤ情報とパスワードが共に一致したことをもってバックアップデータを充電器側に格納できるようにしている。
【００１２】
このため、ユーザは、オフィスと家庭で別々の充電器を用意している場合には、これら２つの充電器に同じ内容の登録を行う必要があった。また、たとえば出先に他人の充電器が存在するような場合に、これを借用して自分の携帯電話機のバックアップデータをとることができないという問題があった。これは、携帯電話機とその充電に使用する充電器が対の関係にないと、ユーザデータのバックアップを行うことができないからである。
【００１３】
以上、携帯電話機のバックアップについての問題点を説明したが、他の情報処理装置のユーザデータをバックアップする場合、充電器との関係で同様の問題があった。
【００１４】
そこで本発明の目的は、セキュリティを確保しながら情報処理装置のバックアップを簡易に行うことのできる情報処理装置、電源供給装置およびデータバックアップシステムを提供することにある。
【００１５】
本発明の他の目的は、セキュリティを確保しながら情報処理装置内の必要な情報のみをバックアップすることのできる情報処理装置、電源供給装置およびデータバックアップシステムを提供することにある。
【課題を解決するための手段】
【００１６】
請求項１記載の発明では、（イ）装置内部に電源を供給する二次電池と、（ロ）この二次電池を充電するために外部装置と接続する充電用端子と、(ハ)データ処理を行うデータ処理手段と、(ニ)外部装置に接続され、このデータ処理手段の処理の対象となるデータのうち所定のものをバックアップデータとして保存する外部メモリについてその識別情報を格納する外部メモリＩＤ格納手段と、(ホ)バックアップデータを用いてデータのバックアップを行う際のユーザを認証するためのパスワードを格納するパスワード格納手段と、（へ）充電用端子に外部装置が接続されたときこの外部装置を経由して外部メモリが接続されているかを外部メモリＩＤ格納手段に格納された外部メモリＩＤを用いて確認する外部メモリ存否確認手段と、（ト）この外部メモリ存否確認手段が外部メモリが接続されていることを確認したときパスワード格納手段に格納されたパスワードが入力されることを条件としてバックアップデータを前記した外部装置に送り出すバックアップデータ送信手段とを情報処理装置に具備させる。
【００１７】
すなわち本発明では、処理の対象となるデータのうち所定のものをバックアップデータとして保存するようにする情報処理装置が、二次電池を充電するための充電用端子に接続された外部装置を経由した外部メモリにこのバックアップデータを保存することにしている。このために、この情報処理装置には、その外部メモリの識別情報を格納する外部メモリＩＤ格納手段と、バックアップを行うユーザを認証するためのパスワードを格納するパスワード格納手段および外部装置に外部メモリが接続されているかを判別するための外部メモリ存否確認手段が備えられている。そして、充電時に外部メモリ存否確認手段が外部装置に外部メモリが存在したことを確認したら、外部メモリＩＤが一致するかどうかをチェックして、一致する場合にはパスワードが一致することを条件にバックアップデータをその外部装置に送出し、これを経由した外部メモリにバックアップできるようにしている。これにより、充電用の外部装置がどのような装置であってもユーザの指定した外部メモリに情報処理装置のデータをバックアップすることができる。
【００１８】
バックアップデータ送信手段は、充電用端子から二次電池に対して充電用の電力が供給される状態でバックアップデータを近距離にのみ到達する無線で送信する無線通信手段であってもよいが、前記した充電用の外部装置とケーブルで接続されていてもよい。無線通信手段の場合には、その種類を問わないが、一例としては赤外線通信手段を挙げることができる。
【００１９】
請求項４記載の発明では、（イ）データ処理を行う情報処理装置に接続してこれに電源を供給する電源供給端子と、（ロ）情報処理装置のデータ処理の対象となるデータのうち所定のものをバックアップデータとして保存する外部メモリを接続する外部メモリ接続手段と、（ハ）この外部メモリ接続手段に接続した外部メモリの識別情報としての外部メモリＩＤを電源供給端子に接続された情報処理装置に送信する外部メモリＩＤ送信手段と、（ニ）電源供給端子に接続された情報処理装置からバックアップデータが送られてきたときこれを前記した外部メモリに転送するバックアップデータ転送手段とを電源供給装置に具備させる。
【００２０】
すなわち本発明では、情報処理装置に接続して充電のためや通常の動作のために電源を供給する電源供給端子を備えた電源供給装置が、外部メモリ接続手段を備えており、これに外部メモリを接続できるようになっている。そして、電源供給端子に接続された情報処理装置に対して外部メモリの識別情報としての外部メモリＩＤを送出し、情報処理装置側でこれに対応する形でバックアップデータが送られてきたときこれをその外部メモリに転送するようにしている。このように、情報処理装置側に外部メモリのＩＤを送出できるので、その情報処理装置がバックアップデータをその外部メモリに転送することを判断すれば、送られてきたバックアップデータをバックアップデータ転送手段を用いて外部メモリに転送してバックアップを実行することができる。電源供給装置は必ずしも情報処理装置に対して充電用の電力を供給する必要はない。
【００２１】
ここで、外部メモリＩＤ送信手段およびバックアップデータ転送手段は、前記した電源供給端子から情報処理装置に対して電力が供給される状態でバックアップデータを近距離にのみ到達する無線で送信する無線通信手段であってもよいが、有線の通信手段であってもよい。
【００２２】
請求項６記載の発明では、（イ）装置内部に電源を供給する電源供給端子と、データ処理を行うデータ処理手段と、このデータ処理手段の処理の対象となるデータのうち所定のものをバックアップデータとして保存する外部メモリについてその識別情報を格納する外部メモリＩＤ格納手段と、前記したバックアップデータを用いてデータのバックアップを行う際のユーザを認証するためのパスワードを格納するパスワード格納手段と、電源供給端子に外部装置が接続されたときこの外部装置を経由して外部メモリが接続されているかを外部メモリＩＤ格納手段に格納された外部メモリＩＤを用いて確認する外部メモリ存否確認手段と、この外部メモリ存否確認手段が外部メモリが接続されていることを確認したときパスワード格納手段に格納されたパスワードが入力されることを条件としてバックアップデータを外部装置に送り出すバックアップデータ送信手段とを備えた情報処理装置と、(ロ)この情報処理装置に接続してこれに電源を供給する電源供給端子と、バックアップデータを保存する外部メモリを接続する外部メモリ接続手段と、電源供給端子に接続された情報処理装置から外部メモリ接続手段に接続された外部メモリの外部メモリＩＤが要求されたときこれをその情報処理装置に送信する外部メモリＩＤ送信手段と、電源供給端子に接続された情報処理装置からバックアップデータが送られてきたときこれを外部メモリに転送するバックアップデータ転送手段とを備えた、前記した外部装置としての電源供給装置とをデータバックアップシステムに具備させる。
【００２３】
すなわち本発明では、データバックアップシステムを情報処理装置とこれに電源を供給しかつ外部メモリを接続した電源供給装置とで構成している。そして、情報処理装置に接続して充電のためや通常の動作のために電源を供給する電源供給端子を備えた電源供給装置が、電源供給端子に接続された情報処理装置に対して外部メモリの識別情報としての外部メモリＩＤを送出し、情報処理装置側でこれに対応する形でバックアップデータが送られてきたときこれをその外部メモリに転送するようにしている。このように、情報処理装置側に外部メモリのＩＤを送出できるので、その情報処理装置が外部メモリＩＤおよびパスワードを用いてバックアップデータをその外部メモリに転送することを判断すれば、バックアップデータを電源供給装置に送り、電源供給装置はバックアップデータ転送手段を用いて外部メモリに転送してバックアップを実行することができる。電源供給装置は必ずしも情報処理装置に対して充電用の電力を供給する必要はない。
【００２４】
ここで、情報処理装置と電源供給装置の間で行われる外部メモリＩＤとバックアップデータの通信は、近距離にのみ到達する無線で送信する無線通信手段であってもよいが、有線の通信手段であってもよい。また、外部メモリはＵＳＢを介して電源供給装置に接続されるようになっていてもよい。
【発明の効果】
【００２５】
以上説明したように本発明によれば、情報処理装置がこれに電源を供給する電源供給装置と接続された外部メモリにデータをバックアップするので、外部ネットワークにアクセスしてバックアップを行う場合と比べて処理が簡単になり、また経済的である。更に、電源供給装置と接続された外部メモリのＩＤを情報処理装置側が保持してバックアップの際に照合できるので、セキュリティを確保することができるだけでなく、電源供給装置側が外部メモリのＩＤを格納する必要がないので、電源供給装置を選ばずにバックアップを行うことが可能になる。これにより、バックアップの実行と情報処理装置側でのデータの復元を簡単に行えるようになる。
【発明を実施するための最良の形態】
【００２６】
以下実施例につき本発明を詳細に説明する。
【実施例１】
【００２７】
図１は、本発明の第１の実施例としての卓上ホルダを表わしたものである。卓上ホルダ１００の本体１０１は、ベッドのような縦長の形状をしており、その長さ方向の両端には図示しない携帯電話機の両端部を固定するための第１および第２の壁部１０２、１０３が立設されている。第１の壁部１０２の上面には、第１〜第３の表示ランプ１０４〜１０６が配置されている。第１の表示ランプ１０４は、認証の可否やエラーの発生を表示形態によってを示すもので、緑色に点灯したときはユーザの認証が成功したことを、赤色に点灯したときはエラーが生じたことを示す。第２の表示ランプ１０５は、データの転送状態を示すもので、赤色が転送中を、緑色が転送完了をそれぞれ示す。第３の表示ランプ１０６は、充電の状態を表わすもので、赤色が充電中を表わし、緑色が充電が完了したことを表わす。
【００２８】
第１の壁部１０２の側面で第２の壁部１０３と対向する位置の中央には赤外線送受信部１０８が配置されており、その両側には充電用の電源端子１０９、１０９が進退自在に配置されている。本体１０１の側面には、メモリカードを挿入するカードスロット１１１と、その取り出しに使用するリジェクタ１１２が配置されている。カードスロット１１１には、たとえばＳＤカード（Secure Digital card）をセットすることができるようになっている。
【００２９】
また、第２の壁部１０３の下部からは電源コードが繰り出されている。更に第２の壁部１０３における第１の壁部１０２と対向する箇所には、進退自在のスイッチからなる載置検出部１１５が配置されている。載置検出部１１５は、携帯電話機が第１の壁部１０２と第２の壁部１０３の間にセットされると、これを検知するようになっている。
【００３０】
図２は、本実施例の卓上ホルダの回路構成を表わしたものである。この卓上ホルダ１００は、各部を制御するための制御部１２１を備えている。制御部１２１は、ＣＰＵ（Central Processing Unit）１２２と、このＣＰＵ１２２が実行する制御用のプログラムを格納したＲＯＭ（Read Only Memory）１２３を備えている。ＲＯＭ１２３の代わりにハードディスク等の不揮発性のメモリを使用してもよい。制御部１２１は、データバス等の接続手段によって卓上ホルダ１００内の各部と接続されている。
【００３１】
このうちＵＡＲＴ(Universal Asynchronous Receiver Transmitter)部１２４は赤外線送受信部１０８と接続されている。ＵＡＲＴ部１２４は、この図には示していない携帯電話機から赤外線によって受信したシリアルデータをパラレルデータに変換すると共に、送信の対象となるパラレルデータをシリアルデータに変換するＩＣ（Integrated Circuit）チップによって構成されている。作業用メモリ１２６は、ＣＰＵ１２２が各種制御を行う上で一時的に必要とするデータを格納するメモリ領域であり、ＲＡＭ（Random Access Memory）によって構成されている。
【００３２】
充電機構部１２７は、携帯電話機の電池を充電する制御を行うようになっている。表示制御部１２８は、第１〜第３の表示ランプ１０４〜１０６の点灯制御を行うようになっている。カードスロット１１１と載置検出部１１５も制御部１２１と接続されている。
【００３３】
図３は、本実施例の携帯電話機の構成の要部を表わしたものである。携帯電話機１４０は、各部を制御するための制御部１４１を備えている。制御部１４１は、ＣＰＵ１４２と、このＣＰＵ１４２が実行する制御用のプログラムを格納したＲＯＭ１４３を備えている。ＲＯＭ１４３の代わりにハードディスク等の不揮発性のメモリを使用してもよい。制御部１４１は、データバス等の接続手段によって携帯電話機１４０内の各部と接続されている。
【００３４】
このうちＵＡＲＴ部１４４は赤外線送受信部１４５と制御部１４１の間でデータをシリアルデータからパラレルデータに変換したり、その逆の変換を行うＩＣチップによって構成されている。作業用メモリ１４６は、ＣＰＵ１４２が各種制御を行う上で一時的に必要とするデータを格納するメモリ領域であり、ＲＡＭによって構成されている。
【００３５】
ユーザデータ格納部１４７は、バックアップの対象となるユーザデータと図２に示したカードスロット１１１に格納する図示しないメモリカードに関する情報を格納するメモリ領域である。ユーザデータは、それらの更新履歴の情報と共に格納されるようになっている。メモリカードに関する情報は、ＩＤ情報格納領域１４８にメモリカードのＩＤ情報（メモリＩＤ）が格納されるようになっており、パスワード登録領域１４９にそのメモリカードにバックアップを行う際にユーザ認証に使用するバックアップ用パスワードが格納されるようになっている。バックアップ項目・履歴記憶部１５１は、携帯電話機１４０のユーザがバックアップの対象として指定したユーザデータの各項目と、図２に示した卓上ホルダ１００にバックアップを行った履歴を格納しておくメモリである。
【００３６】
操作部１５２は、携帯電話機１４０の図示しないキーボード等のユーザによって各種データを入力するための部品によって構成されている。表示部１５３は液晶ディスプレイあるいは有機ＥＬ（Electro Luminescence）等の図示しないディスプレイと表示を制御するための回路部分によって構成されている。携帯電話機機能部１５４は、図示しない通話のためのマイクロフォン、スピーカ、通信制御部等の携帯電話機としての共通した機能を有する部分を一括して示したものである。二次電池１５５は、携帯電話機１４０各部に電源を供給する繰り返し充電可能な電池である。
【００３７】
図４は、卓上ホルダに携帯電話機がセットされた状態を表わしたものである。携帯電話機１４０は、折り畳み型の場合には折り畳まれた状態で、そのサブ・ディスプレイ１６１が上に配置されるような状態で卓上ホルダ１００にセットされる。携帯電話機１４０は、セットされた状態で図示しない２つの電極が図１に示した電源端子１０９、１０９に１つずつ接触するようになっている。これにより、図２に示した卓上ホルダ１００内の充電機構部１２７が携帯電話機１４０の二次電池１５５（図３）と電気的に接続され、充電が開始される。
【００３８】
携帯電話機１４０側の図示しない２つの電極の間には図３に示した赤外線送受信部１４５が配置されている。したがって、卓上ホルダ１００に携帯電話機１４０がセットされると、この赤外線送受信部１４５が図１に示した赤外線送受信部１０８と対向することになり、赤外線によるデータ通信が可能になる。
【００３９】
図５は、卓上ホルダの制御の概要を表わしたものである。卓上ホルダ１００は、図２に示す制御部１２１のＣＰＵ１２２がＲＯＭ１２３に格納された制御プログラムを実行することで各種の制御を行うようになっている。この制御の内容を、図１、図２および図４と共に説明する。
【００４０】
制御部１２１は載置検出部１１５が携帯電話機１４０を検出するか（ステップＳ２０１）と、赤外線送受信部１０８を介してメモリＩＤ（Identification）の読取要求があったか（ステップＳ２０２）と、バックアップデータを受信したか（ステップＳ２０３）と、リストア要求があったか（ステップＳ２０４）の監視を行っている。
【００４１】
ユーザが卓上ホルダ１００に図４に示すように携帯電話機１４０をセットすると、図２に示した載置検出部１１５がこれを検出する（ステップＳ２０１：Ｙ）。この場合、図２に示した充電機構部１２７は、携帯電話機１４０の充電制御を実行することになる（ステップＳ２０５）。そして、これと共に、バックアップデータがあれば、後に卓上ホルダ１００側の処理として説明するようにバックアップのための処理を行う。
【００４２】
図６は、本実施例の携帯電話機側で行われるバックアップ処理の様子を表わしたものである。図３と共に説明する。携帯電話機１４０は、その表示部１５３にメニュー画面を表示して、この中から所望の項目を選択することができる。メニュー画面から「バックアップ処理」の項目が選択されると（ステップＳ２２１：Ｙ）、制御部１４１は表示部１５３にバックアップ用パスワードの入力要求を表示する（ステップＳ２２２）。ユーザが操作部１５２を操作してパスワードを入力すると（ステップＳ２２３：Ｙ）、それがパスワード登録領域１４９に格納されたバックアップ用パスワードと一致するかどうかの判別が行われる（ステップＳ２２４）。ここで、操作部１５２からその時点で入力されたパスワードがバックアップ用パスワードに一致しなかった場合には（Ｎ）、「入力したパスワードが間違っています。」等のエラー表示が行われる（ステップＳ２２５）。そして、バックアップ処理を開始することなく処理が終了する（エンド）。もちろん、パスワードの再入力を求めて、正しいパスワードが入力されなかった場合にのみ処理を終了させてもよい。
【００４３】
一方、バックアップ用パスワードが一致した場合（ステップＳ２２４：Ｙ）、制御部１４１はこの携帯電話機１４０に充電器としての卓上ホルダ１００が接続されているかどうかをチェックする（ステップＳ２２６）。卓上ホルダ１００は電源に接続されている必要がある。ステップＳ２２６のチェックは、たとえば二次電池１５５が充電状態にあるかとか、充電電圧が二次電池１５５に印加されているかという判別により可能となる。充電器としての卓上ホルダ１００に対して図４に示すように携帯電話機１４０がセットされていない場合には（ステップＳ２２６：Ｎ）、所定のエラー処理が行われる（ステップＳ２２５）。
【００４４】
これに対して、卓上ホルダ１００に携帯電話機１４０がセットされている場合（ステップＳ２２６：Ｙ）、制御部１４１は続いて外部メモリがこれに接続されているかどうかを判別する（ステップＳ２２７）。卓上ホルダ１００に外部メモリとしてのメモリカードが接続されていない場合にはバックアップができない。そこで、メモリカードが接続されていない場合には（Ｎ）、所定のエラー処理が行われる（ステップＳ２２５）。
【００４５】
メモリカードの接続も行われていたら（ステップＳ２２７：Ｙ）、現在の携帯電話機１４０が待ち受け状態で、かつＰＩＭ（Personal Information Manager）ロックになっていないことを確認する（ステップＳ２２８）。ＰＩＭロックとは、予め設定した端末暗証番号によって、携帯電話機１４０の電話帳、スケジュール、メール、カメラ等のアプリケーションプログラムを起動できないように設定することをいう。個人情報の漏洩を防止する機能であり、本実施例ではこれがロック状態となっているときにはバックアップを勝手に行えないようにしている。ステップＳ２２８の条件に適合しない場合にも（Ｎ）、所定のエラー処理が行われる（ステップＳ２２５）。
【００４６】
ステップＳ２２８の条件にも合致した場合（Ｙ）、制御部１４１はメモリカードのＩＤの読み取り処理を行う（ステップＳ２２９）。具体的には、卓上ホルダ１００側にメモリカードのＩＤとしてのメモリＩＤの要求を行って、これを受信することになる。
【００４７】
図５に戻って卓上ホルダ１００にメモリＩＤの要求があったときの処理を説明する。メモリＩＤの要求があると（ステップＳ２０２：Ｙ）、卓上ホルダ１００の制御部１２１は外部メモリとしてのメモリカードが接続されているかどうかをチェックする（ステップＳ２０６）。この結果、メモリカードが未接続の状態であれば（Ｎ）、赤外線送受信部１０８を起動して、その旨を送信する（ステップＳ２０７）。
【００４８】
これに対して、メモリカードが接続されていると判別された場合には（ステップＳ２０６：Ｙ）、そのＩＤ情報としてのメモリＩＤと、メモリカードにユーザデータとして格納されている情報の更新情報（日時または版数）を読み出す（ステップＳ２０８）。そして、赤外線送受信部１０８を起動してこれらの情報を送信することになる（ステップＳ２０９）。ユーザデータとして格納されている情報の更新情報を携帯電話機１４０側に送信するのは、携帯電話機１４０側から差分のユーザデータの送信を受けるためである。
【００４９】
図６に戻って説明を続ける。ステップＳ２２９でメモリＩＤの読取処理を行ったら、制御部１４１は、得られたメモリＩＤをＩＤ情報格納領域１４８に格納されているメモリＩＤと一致するかどうかをチェックする（ステップＳ２３０）。携帯電話機１４０のユーザがバックアップ先のメモリカードについてメモリＩＤの登録を行っていないような場合にはメモリＩＤが一致しない（Ｎ）。そこて、この場合にはメモリＩＤの登録要求を表示部１５３に表示して（ステップＳ２３１）、バックアップ処理を終了させる（エンド）。
【００５０】
これに対して、バックアップ先の卓上ホルダ１００側のメモリＩＤが一致した場合（ステップＳ２３０：Ｙ）、ユーザデータ格納部１４７に格納されたユーザデータをメモリカード側から送られてきた更新情報と対比する（ステップＳ２３２）。そして、赤外線送受信部１４５を起動して、バックアップが必要な該当する項目のうちで更新していない差分に相当するユーザデータをバックアップデータとして送信する（ステップＳ２３３）。
【００５１】
再び図５に戻って説明を続ける。卓上ホルダ１００側では、携帯電話機１４０からバックアップデータが送られてきたら（ステップＳ２０３：Ｙ）、該当する項目ごとにバックアップデータを、外部メモリとしてのメモリカードに格納（上書き）する（ステップＳ２１０）。そして、格納結果を赤外線送受信部１４５から送信する（ステップＳ２１１）。
【００５２】
なお、携帯電話機側からバックアップデータのリストアの要求があった場合（ステップＳ２０４：Ｙ）、卓上ホルダ１００側ではメモリカードに格納されているデータを読み出して赤外線送受信部１４５から送信するリストア処理を実行することになる（ステップＳ２１２）。
【００５３】
図７は、携帯電話機側で行う卓上ホルダを使用したバックアップ（卓上バックアップ）についての設定処理の様子を表わしたものである。まず、ユーザは図３に示した携帯電話機１４０の操作部１５２を操作して各種設定画面を表示させる（ステップＳ２４１）。
【００５４】
図８は、表示部に表示された各種設定画面を表わしたものである。ここでは、表示部１５３に、各種の設定項目が数字と対比させて表示されている。バックアップについての設定処理として、「卓上バックアップ」の項目が示されている。ユーザはその対応する数字「４」を操作部１５２（図３）から入力するか、図示しないカーソルでその数字あるいは項目を指定することになる。
【００５５】
図７に戻って説明を続ける。このようにして「卓上バックアップ」の項目が選択されたら（ステップＳ２４２：Ｙ）、「オン・オフ選択表示」が行われ（ステップＳ２４３）、ユーザはこの項目の設定を行うか否かを選択することになる（ステップＳ２４４、ステップＳ２４５）。
【００５６】
図９は、表示部に表示された「オン・オフ選択表示」を表わしたものである。ここでは、ユーザが「オン（ＯＮ）」を選択している。「オフ（ＯＦＦ）」を選択した場合、「卓上バックアップ」は実行されない。
【００５７】
再び図７に戻って説明を続ける。ユーザが「オン（ＯＮ）」を選択した場合（ステップＳ２４４：Ｙ）、バックアップの対象となる各項目が表示される（ステップＳ２４６）。したがって、ユーザは、たとえば用意したメモリカードの容量に応じてバックアップの対象となるユーザデータを取捨選択することができる。
【００５８】
図１０は、表示部に表示されたバックアップの対象となる各項目を表わしたものである。表示部１５３に表示された項目のうちでチェックを入れたものがバックアップの対象となる。この図の例では、全ての項目がバックアップの対象となっている。
【００５９】
再び図７に戻って説明を続ける。ユーザが項目の選択を行うと（ステップＳ２４７：Ｙ）、選択された各項目が図３に示すバックアップ項目・履歴記憶部１５１にバックアップ対象の項目として登録（上書き）される（ステップＳ２４８）。ステップＳ２４５で図９に示す「オフ（ＯＦＦ）」を選択した場合（Ｙ）、バックアップ項目・履歴記憶部１５１におけるバックアップ対象の項目がすべて削除される（ステップＳ２４９）。バックアップの対象となる項目の一部を変更する場合には、図７に示す処理を再度行って、ステップＳ２４６で表示された各項目を選択し直せばよい。
【００６０】
ところで、本実施例では、すでに説明したところから明らかなように、図３に示した携帯電話機１４０がユーザデータのバックアップ先のメモリカードのＩＤ情報（メモリＩＤ）を見て、これがユーザの登録したものと一致することと、バージョンアップの処理を行う操作者が正規のユーザとしてのパスワードを入力できることを条件として、そのメモリカードにバックアップを行うことにしている。これにより、出張先であっても、卓上ホルダ１００がその場所にあれば、バックアップが可能になる。これを可能にするには、図３に示すユーザデータ格納部１４７のＩＤ情報格納領域１４８にメモリカードのメモリＩＤを格納しておくと共に、パスワード登録領域１４９にそのメモリカードにバックアップを行う際にユーザ認証に使用するバックアップ用パスワードを格納しておく必要がある。
【００６１】
このうち、バックアップ用パスワードは携帯電話機１４０自体のアクセスを本来のユーザのみに許可するために設定しているパスワードを当てることができる。そこで、これについての説明は省略し、次にメモリカードの登録処理を説明する。
【００６２】
図１１は、携帯電話機側で行うバックアップ用メモリとしてのメモリカードの登録処理の流れを表わしたものである。図３と共に説明する。携帯電話機１４０は、その表示部１５３にメニュー画面を表示して、この中から所望の項目を選択することができる。メニュー画面から「メモリ登録処理」の項目を選択すると（ステップＳ２６１：Ｙ）、制御部１４１はユーザがすでに他の処理でバックアップ用パスワードを入力して照合が済んでいる（パスワードによる認証がすでに成功している）かどうかをチェックする（ステップＳ２６２）。照合の手間を重複させないようにするためであるが、セキュリティを高度に保つために、図１１に示す処理を開始する際にバックアップ用パスワードの入力を常に要求するようにしてもよい。
【００６３】
パスワードの照合がまだ済んでいない場合には（Ｎ）、携帯電話機１４０の表示部１５３にバックアップ用パスワードの入力要求が表示される（ステップＳ２６３）。これに対してユーザが操作部１５２を操作してパスワードを入力すると（ステップＳ２６４：Ｙ）、制御部１４１はパスワード登録領域１４９に格納されているバックアップ用パスワードとこれが一致しているかどうかをチェックする（ステップＳ２６５）。なお、前記したようにバックアップ用パスワードとして特別のパスワードを設定していない場合には、パスワード登録領域１４９に携帯電話機１４０のアクセスを許可するためにユーザが登録したパスワードがそのままバックアップ用パスワードとして格納されるようになっている。
【００６４】
ステップＳ２６５のチェックでパスワードが一致しなかった場合には（Ｎ）、表示部１５３にパスワード不一致のエラー表示を行って（ステップＳ２６６）、バックアップ用メモリの登録処理が終了する（エンド）。もちろん、いきなりバックアップ用メモリの登録処理を終了させずに、所定回数だけバックアップ用パスワードの再入力を許す機会を与えるようにしてもよい。
【００６５】
ステップＳ２６５でパスワードが一致した場合には（Ｙ）、ステップＳ２６２でパスワードの照合済みの場合（Ｙ）と共に、赤外線送受信部１４５を起動して外部メモリのＩＤ要求を送信する（ステップＳ２６７）。すると、先に説明した図５のステップＳ２０２からステップＳ２０６に進む処理が卓上ホルダ１００側で行われる。ただし、新規のメモリカードのＩＤを取得することを前提としている今回は図５のステップＳ２０８の処理で更新情報を読み出すことができないのでそのメモリカードのＩＤのみが読み出されて、ステップＳ２０９で図２に示す赤外線送受信部１０８からこれが返信されてくることになる。
【００６６】
制御部１４１は赤外線送受信部１４５を介して卓上ホルダ１００の返信を待機しており、メモリＩＤを受信したら（図１１ステップＳ２６８：Ｙ）、バックアップ用メモリのＩＤとしてパスワード登録領域１４９に登録する（ステップＳ２６９）。
【００６７】
一方、卓上ホルダ１００にメモリカードがセットされていないような場合には（図５ステップＳ２０６：Ｎ）、メモリカードが未接続の状態であることが通知されてくる（図５ステップＳ２０７、図１１ステップＳ２７０：Ｙ）。そこで、この場合、制御部１４１は表示部１５３に外部メモリの接続にエラーがあることを表示して（ステップＳ２７１）、処理を終了することになる（エンド）。
【実施例２】
【００６８】
図１２は、本発明の第２の実施例における充電用アダプタの要部を示したものである。この充電用アダプタ３００は、図示しない携帯電話機の充電に用いるもので、直流電源ケーブル３０１の一端には、大径の円筒状のホルダ３０２が取り付けられており、このホルダ３０２の他端からは円筒状のホルダ３０２よりも小径の円筒状のオス型コネクタ３０３が突出している。オス型コネクタ３０３は、その内側と外側がそれぞれ電極を構成しており、携帯電話機の図示しないメス型コネクタと嵌合し接続することで、その内部の図示しない充電回路に充電のための電源を供給するようになっている。
【００６９】
ホルダ３０２における直流電源ケーブル３０１の繰り出される側と反対の端部には、オス型コネクタ３０３と並行に金属製の小突起３０４が植設されている。小突起３０４はオス型コネクタ３０３を携帯電話機に取り付けるときのホルダ３０２の回転位置を規制するために使用されている。ホルダ３０２の小突起３０４が植設された側の端部近傍には赤外線受信部３０５が配置されている。これは、携帯電話機のこれと対向する部位に配置された図示しない赤外線送信部と対向させるためである。したがって、ホルダ３０２のどの回転位置でも携帯電話機から良好に赤外線を用いたデータを受信できる場合、回転位置を設定するための小突起３０４は不要である。
【００７０】
ホルダ３０２の外周面には、第１の表示ランプ３０６と第２の表示ランプ３０７およびＵＳＢ（Universal Serial Bus）コネクタ（ミニＡコネクタ）３０８が取り付けられている。第１の表示ランプ３０６は第１の実施例の第２の表示ランプ１０５と同様にデータの転送状態を表示するために使用され、第２の表示ランプ３０７は第１の実施例の第３の表示ランプ１０６と同様に充電中および充電終了を表示するために使用される。ＵＳＢコネクタ３０８は、充電用アダプタ３００に接続される図示しないメモリやコンピュータ等の他の情報処理装置に携帯電話機のユーザデータをバックアップするために使用されるようになっている。
【００７１】
図１３は、この第２の実施例における充電用アダプタを用いた第１のバックアップ方法を示したものである。充電用アダプタ３００はその円筒状のホルダ３０２の他端側が電源プラグを備えた直流電源部３１１となっており、電源プラグの部分が図示しない商用電源に接続されるようになっている。ホルダ３０２から突出したオス型コネクタ３０３は、携帯電話機４００の充電端子４０１に差し込まれている。また、ホルダ３０２のＵＳＢコネクタ３０８にはＵＳＢ端子付きのメモリ装置４０２が接続されている。
【００７２】
したがって、第１のバックアップ方法では、ユーザが携帯電話機４００の充電を行う際に、ＵＳＢ端子付きのメモリ装置４０２に所望のユーザデータをバックアップすることができる。なお、図では携帯電話機４００を１つの筐体に表示部４１２と操作部４１３が配置された一体型のものとして示しているが、２つの筐体を折り畳むようにした折り畳み式の携帯電話機であってもよいことは当然である。
【００７３】
図１４は、この第２の実施例における充電用アダプタを用いた第２のバックアップ方法を示したものである。第２のバックアップ方法でも、充電用アダプタ３００のオス型コネクタ３０３は、携帯電話機４００の充電端子４０１に差し込まれている。ホルダ３０２のＵＳＢコネクタ３０８は、ＵＳＢケーブル４２１の一端を接続しており、その他端はパーソナルコンピュータ４２２のＵＳＢ端子４２３に接続されている。
【００７４】
この第２のバックアップ方法では、ユーザが携帯電話機４００の充電を行う際に、ホルダ３０２にＵＳＢケーブル４２１を介して他の情報処理装置を接続することで、パーソナルコンピュータ１２２等の情報処理装置の記憶媒体にユーザデータをバックアップすることができることになる。
【００７５】
図１５は、この第２の実施例の充電用アダプタの回路構成の概要を表わしたものである。充電用アダプタ３００は、オス型コネクタ３０３を備えたホルダ３０２と、このホルダ３０２に前記した一端を接続した直流電源ケーブル３０１と、この直流電源ケーブル３０１の他端に接続した直流電源部３１１で構成されている。直流電源部３１１は、前記した商用電源と接続されて電圧を変換する変圧器４４１と、この変圧器４４１が低下させた電圧の交流を直流に整流する整流回路４４２を備えている。直流電源ケーブル３０１はこの整流後の所定の直流電源をホルダ３０２に供給するようになっている。ホルダ３０２は、この供給された直流電源を内部の回路に供給する他、オス型コネクタ３０３の所定のピンを介して、図１３または図１４に示した携帯電話機４００に供給することになる。
【００７６】
ホルダ３０２内には、制御部４５１が備えられている。制御部４５１は、ＣＰＵ４５２と、このＣＰＵ４５２が実行する制御用のプログラムを格納したＲＯＭ４５３を備えている。制御部４５１は、データバス等の接続手段によって、ＵＡＲＴ部４５４、メモリ４５５、表示制御部４５６およびＵＳＢコネクタ３０８と接続されている。ここでＵＡＲＴ部４５４は赤外線受信部３０５と接続されており、携帯電話機４００から受信したシリアルデータをパラレルデータに変換する。メモリ４５５は携帯電話機から受信したデータを一時的に格納してＵＳＢコネクタ３０８を介して図１３に示したメモリ装置４０２または図１４に示したパーソナルコンピュータ４２２に送り出すことになる。表示制御部４５６は第１の表示ランプ３０６と第２の表示ランプ３０７の点灯制御を行うようになっている。
【００７７】
図１６は、第２の実施例で使用される携帯電話機の構成の概要を表わしたものである。この携帯電話機４００は、各部を制御するための制御部５４１を備えている。制御部５４１は、ＣＰＵ５４２と、このＣＰＵ５４２が実行する制御用のプログラムを格納したＲＯＭ５４３を備えている。ＲＯＭ５４３の代わりにハードディスク等の不揮発性のメモリを使用してもよい。制御部５４１は、データバス等の接続手段によって携帯電話機４００内の各部と接続されている。
【００７８】
このうちＵＡＲＴ部５４４は赤外線送信部５４５と接続され、図１２に示したホルダ３０２内の赤外線受信部３０５に送信するデータをパラレルデータからシリアルデータに変換するＩＣチップによって構成されている。作業用メモリ５４６は、ＣＰＵ５４２が各種制御を行う上で一時的に必要とするデータを格納するメモリ領域であり、ＲＡＭによって構成されている。
【００７９】
充電制御部５４７は充電端子４０１と接続されており、図１２に示した充電用アダプタ３００のオス型コネクタ３０３から給電されて、充電の制御を行うようになっている。操作部４１３は、携帯電話機４００のキーボード等のユーザによって各種データを入力するための部品によって構成されている。表示部４１２は液晶ディスプレイあるいは有機ＥＬ等のディスプレイと表示を制御するための回路部分によって構成されている。携帯電話機機能部５５２は、図示しない通話のためのマイクロフォン、スピーカ、通信制御部等の携帯電話機としての共通した機能を有する部分を一括して示したものである。二次電池５５３は、携帯電話機４００各部に電源を供給する繰り返し充電可能な電池であり、充電制御部５４７によって充電される。
【００８０】
この第２の実施例では、図１２に示す充電用アダプタ３００を商用電源に接続した状態で、図１３あるいは図１４に示すように携帯電話機４００に接続すると、その充電が開始される。また、携帯電話機４００の制御部５４１は、予め定めた電話帳やスケジューラ等のユーザデータを携帯電話機４００の赤外線送信部５４５から送信することで、図１３に示すようにメモリ装置４０２に、あるいは図１４に示すようにパーソナルコンピュータ４２２にバックアップすることができる。これらにバックアップされたユーザデータを携帯電話機４００にリストアすることも同様に可能である。
【００８１】
なお、第１および第２の実施例では、ユーザデータの転送が無事終了すると、対応するランプの表示色を緑色に変化させてデータの転送完了を知らせることにしたが、通信処理が起動できなかった場合や、通信相手が不明で通信を確立することができなかった場合、あるいは通信中に何らかの不具合があって通信が完了しなかった場合には、異常の発生を示すエラー表示を行う代わりに、異常の発生を示すアイコンを携帯電話機や充電側の装置に設けられたディスプレイに表示するようにしてもよい。
【００８２】
なお、第１の実施例では使用するメモリカードとしてＳＤカードを示したが、半導体メモリからなる各種のメモリカードを使用することができる。また、メモリカードのサイズが通常サイズとミニサイズがあるような場合、これらのサイズに関係なく本発明を適用することができる。
【００８３】
また、実施例ではバックアップのためのデータの転送を赤外線を用いた無線通信で行うことにした。赤外線以外のデータ通信手段を使用してこのような通信を行うことはもちろん可能である。たとえば、ブルーツース（Bluetooth）、Ｗ−ＬＡＮ（Wireless LAN）あるいは非接触ＩＣカードであるＦｅｌｉＣａ（登録商標）を用いた無線通信にも本発明を適用することができる。
【図面の簡単な説明】
【００８４】
【図１】本発明の第１の実施例としての卓上ホルダを表わした斜視図である。
【図２】第１の実施例の卓上ホルダの回路構成を表わしたブロック図である。
【図３】第１の実施例の携帯電話機の構成の要部を表わしたブロック図である。
【図４】第１の実施例で卓上ホルダに携帯電話機がセットされた状態を表わした斜視図である。
【図５】第１の実施例における卓上ホルダの制御の概要を表わした流れ図である。
【図６】第１の実施例における携帯電話機側で行われるバックアップ処理の様子を表わした流れ図である。
【図７】第１の実施例で携帯電話機側で行う卓上ホルダを使用したバックアップについての設定処理の様子を表わした流れ図である。
【図８】第１の実施例で表示部に表示された各種設定画面を表わした平面図である。
【図９】第１の実施例で表示部に表示された「オン・オフ選択表示」を表わした平面図である。
【図１０】第１の実施例で表示部に表示されたバックアップの対象となる各項目を表わした平面図である。
【図１１】第１の実施例で携帯電話機側で行うバックアップ用メモリとしてのメモリカードの登録処理の流れを表わした流れ図である。
【図１２】本発明の第２の実施例における充電用アダプタの要部を示した斜視図である。
【図１３】第２の実施例における充電用アダプタを用いた第１のバックアップ方法を示した各部の接続説明図である。
【図１４】第２の実施例における充電用アダプタを用いた第２のバックアップ方法を示した各部の接続説明図である。
【図１５】第２の実施例の充電用アダプタの回路構成の概要を表わしたブロック図である。
【図１６】第２の実施例で使用される携帯電話機の構成の概要を表わしたブロック図である。
【符号の説明】
【００８５】
１００  卓上ホルダ
１０４、３０６  第１の表示ランプ
１０５、３０７  第２の表示ランプ
１０６  第３の表示ランプ
１０８、１４５  赤外線送受信部
１０９  充電用の電源端子
１１１  カードスロット
１２１、１４１、４５１、５４１  制御部
１２７  充電機構部
１４０、４００  携帯電話機
１４７  ユーザデータ格納部
１５１  バックアップ項目・履歴記憶部
１５５、５５３  二次電池
３００  充電用アダプタ
３０３  オス型コネクタ
３０５  赤外線受信部
３０８  ＵＳＢコネクタ
３２８  赤外線受信部
４０１  充電端子
４０２  メモリ装置
４２２  パーソナルコンピュータ(情報処理装置)
５４５  赤外線送信部
５４７  充電制御部
【図１】
2008182590.tif 000003
【図２】
2008182590.tif 000004
【図３】
2008182590.tif 000005
【図４】
2008182590.tif 000006
【図５】
2008182590.tif 000007
【図６】
2008182590.tif 000008
【図７】
2008182590.tif 000009
【図８】
2008182590.tif 000010
【図９】
2008182590.tif 000011
【図１０】
2008182590.tif 000012
【図１１】
2008182590.tif 000013
【図１２】
2008182590.tif 000014
【図１３】
2008182590.tif 000015
【図１４】
2008182590.tif 000016
【図１５】
2008182590.tif 000017
【図１６】
2008182590.tif 000018